(57)【要約】人の乱されない発話生成のためのシステムをもつ発話解析システムおよび人の発話生成を解析するための方法。発話解析システムは人による乱されない発話生成を許容する。システムはまず試験文を書き出し、それをクリアし、その後、その人に正しい表現を思い出させるために一連の視覚的手がかりをその人に対して示す。その人は前記文を思い出し、それを正確に繰り返すが、その際、文字を通じた影響は全く受けない。方法は、その人の発音に影響することなく、その人に正確な文を思い出させる視覚的手がかりを提供する。
2010509648.tif 000002
【特許請求の範囲】
【請求項１】
人の発話生成を解析する方法であって：
・前記人に対して試験文を表示し；
・その後、前記人に、前記試験文の少なくとも一つのキーワードに関係した非テキスト情報を与え；
・前記試験文が前記人によって調音される際に前記試験文を記録および／または解析する段階を有する方法。
【請求項２】
前記試験文が文の第一のデータベースから選ばれる、請求項１記載の方法。
【請求項３】
前記試験文が前記人に対して、画面上で書かれたテキストとして表示される、請求項１記載の方法。
【請求項４】
前記非テキスト情報が前記人に対して画面上で表示される画像を含む、請求項１記載の方法。
【請求項５】
前記非テキスト情報が、第二のデータベースから得られ、前記第二のデータベースは、非テキスト情報の各部分に関係している少なくとも一つのキーワードを含んでいる、請求項１記載の方法。
【請求項６】
前記試験文中のキーワードが認識される、請求項１記載の方法。
【請求項７】
キーワードの識別が、前記試験文の単語を第二のデータベース中のキーワードと比較することによって実行される、請求項６記載の方法。
【請求項８】
前記試験文を表示する段階と前記非テキスト情報を与える段階との間の時間期間が適応可能である、請求項１記載の方法。
【請求項９】
前記非テキスト情報のパラメータが適応可能であり、該パラメータは前記非テキスト情報の画像の少なくとも色、数および大きさの一つまたは複数である、請求項１記載の方法。
【請求項１０】
前記時間期間および／または前記パラメータが、調音された試験文の誤り率に依存して適応される、請求項８または９記載の方法。
【請求項１１】
前記試験文を記録および／または解析する前記段階が、自動化された発話解析を含む、請求項１記載の方法。
【請求項１２】
人の乱されない発話生成のためのシステムであって、文の第一のデータベースおよび非テキスト情報の第二のデータベースを有しており、非テキスト情報の各部分は少なくとも一つのキーワードに関係しており、前記システムはさらに表示装置を有し、前記表示装置はまず前記第一のデータベースの文から選ばれた試験文を表示し、その後、前記第二のデータベースからの前記試験文のキーワードに関係した非テキスト情報を表示するよう適応されている、システム。
【請求項１３】
文の前記第一のデータベースおよび非テキスト情報の前記第二のデータベースが記憶装置上に記憶される、請求項１２記載のシステム。
【請求項１４】
さらにマイクロコントローラを有する請求項１２記載のシステムであって、前記マイクロコントローラは前記表示装置上での、前記試験文の表示および前記非テキスト情報のその後の表示を制御する、システム。
【請求項１５】
前記マイクロコントローラは前記試験文中のキーワードを認識し、前記キーワードに関係した非テキスト情報を前記表示装置上への表示のために前記第二のデータベースから選ぶよう適応される、請求項１２記載のシステム。
【請求項１６】
請求項１２に記載される人の乱されない発話生成のためのシステムを有する発話解析システムであって、さらに、前記人によって試験文が調音される際に前記試験文を記録および／または解析するための手段を有する、発話解析システム。
【請求項１７】
前記試験文を解析する前記手段が自動化された発話解析装置を有する、請求項１６記載の発話解析システム。
【発明の詳細な説明】
【技術分野】
【０００１】
本発明は、人の乱されない（undisturbed）発話生成（speech  generation）のためのシステムをもつ発話解析システムに、また人の発話生成を解析する方法に、特に構語障害の（dysarthric）患者の発話療法（speech  therapy）のためのものに関する。
【背景技術】
【０００２】
構語障害は発話障害であり、その考えられる理由は、ALS、パーキンソン病および脳性麻痺といった病気など多数ある。構語障害はまた、卒中の患者または外傷性脳傷害の生存者が示す徴候でもある。卒中は、西欧世界では第三位の死因であり、恒久的な障害の最も顕著な原因である。米国内での事例は年当たり70万であり、高齢化とともに増加傾向にある。構語障害は、神経系のさまざまな点のいずれかに対する損傷に起因する発話機構の弱さ、遅さまたは協調不能から帰結する一群の発話障害をいう。構語障害は、呼吸発声（respiration  phonation）、共鳴（resonance）、調音（articulation）および韻律（prosody）のような基本的な発話プロセスの一部または全部への障害に関わりうる。構語障害は、たとえば語彙および／または文法の使用のような言語の障害ではなく、発話生成の障害である。発話生成に関わる筋肉および器官も無傷である。構語障害が引き起こす調音問題は、発話筋組織を強化することによって発話療法において治療できる。構語障害への対処を簡単にする道具は、発話合成（speech  synthesis）ソフトウェアを含む。
【０００３】
音響的な方法は、発話サブシステム、たとえば発声（phonation）、鼻共鳴、母音調音、子音調音、イントネーションおよびリズムのパラメータ評価から構語障害の発話障害の音響学的な類型学が構築できるほどに進歩している。この解析の結果は、発話のグローバルな機能、たとえば声品質（voice  quality）、理解可能性（intelligibility）および韻律に関して解釈できる。適正な発話解析を行うためには、患者は、求められる文を多少なりとも正確に繰り返さねばならない。構語障害患者の発話品質は、患者が文を読み、文を繰り返すか、あるいは考えている対象を発音する（pronounce）するかに依存して異なる。患者に書かれた文を繰り返すよう依頼するだけの発話解析試験は、たとえば会話において患者が使用する発話生成をベンチマーク試験することができない。
【０００４】
US2002/0099546A1では、単語を表す記号を使った発話療法の方法が提案されている。患者の応答が意味のある解析のためには短すぎることが欠点である。適正な解析を行うためには、５ないし６語の短い文または省略（ellipses）をもつことが必要である。さらに、画像の意味は患者によって異なりうる。自動車の画像は「車」「自動車」または自動車のブランド名によって述べられることがありうる。そのような応答は手動の発話試験については受入可能かもしれないが、自動化された発話解析は、患者の答が既知である場合にのみ適正なパフォーマンスを示すことになる。
【発明の概要】
【発明が解決しようとする課題】
【０００５】
したがって、人の発話生成を解析する方法であって、人が試験文をより正確に繰り返すことができるようにするものを提供することが本発明の目的である。
【課題を解決するための手段】
【０００６】
上記の目的は、人の発話生成を解析する方法であって：
・その人に対して試験文を表示し；
・その後、その人に、前記試験文の少なくとも一つのキーワードに関係した非テキスト情報を与え；
・前記試験文がその人によって調音される際に前記試験文を記録および／または解析する段階を有する方法、
によって達成される。
【０００７】
患者または人に対して正しい発音に向けて期せずして影響してしまうという適正な発話解析の観点では望ましくないことをすることなく、卒中後などの発話療法のために患者または人が多少なりとも正確に求められた文を繰り返すことができるようにされることが、本発明に基づく方法の利点である。試験文がその人に対して表示されている間は、その人の発話は解析されない。試験文のキーワードに関係した非テキスト情報が、その人にその文を思い出させるための手がかりとして与えられる。その人は、求められた試験文から実質的に逸脱することなく、暗記された試験文を繰り返す。こうして、その人はたとえば書かれた単語に頼ることができないので、発話品質はより真正なものになる。
【０００８】
本発明の意味での試験文（test  sentence）は、好ましくは５ないし６語の長さの任意の文または省略（ellipsis）である。文の文法において、省略または省略節（elliptical  clause）とは、いくつかの語が省略された節である。文全体の論理またはパターンのため、欠けている語が何であるかを推定するのは容易である。本発明のある好ましい実施形態では、文を文の第一のデータベースから選ぶのは、たとえば前記第一のデータベース中の文の一つをランダムにまたは擬似ランダムに選ぶことによってである。しかしながら、療法士が試験文として任意の文を選択するまたは提供することも実施可能である。
【０００９】
前記試験文を前記の人に対して表示する段階は、前記の人に前記試験文を知らせる任意の方法を組み込むことが意図されている。その人が、繰り返されるべき厳密な文を知っていることが重要である。好ましくは、その人は試験文を読むが、たとえば視覚障害のある人の場合は、エンボス印刷のような任意の種類の触覚ディスプレイやその文のその人に対する読み上げが実施可能である。
【００１０】
本発明の意味での前記非テキスト情報は、文字表現の形でない、すなわち書かれたテキストや他の任意のアルファベット・コードでない任意の種類の情報である。ここで、書かれたテキストとは、エンボス印刷をも包含することが意図されている。好ましくは、前記非テキスト情報は、一つのアルファベット文字も表さない画像（images）または記号（symbols）として呈示される。
【００１１】
本発明によれば、前記非テキスト情報は、前記試験文の少なくとも一つのキーワードに関係する。キーワードとは、前記試験文の、その文の意味を実質的にまとめる単語として理解される。たとえば、一つまたは複数の名詞、主動詞、ときには副詞または形容詞である。本発明の意味での非テキスト情報の前記関係は、その非テキスト情報がその人にその非テキスト情報が関係するキーワードを思い出させるのに好適であることを意味する。こうして、試験対象の人は、前記非テキスト情報を表示することによって手がかりを与えられ、それが正確な試験文を思い出す助けとなる。当業者は、非テキスト情報によって試験文を厳密に表すことは要求されないことを理解する。通例、若干の手がかりが、人が正確な試験文を繰り返すことができるようにするのに十分である。
【００１２】
好ましくは、前記試験文は前記人に対して、画面上で、すなわち書かれたテキストとして表示される。前記試験文の表示は、有利には、たとえばコンピュータ装置に接続された画面を使うことによって制御可能である。試験文を表示する時間はある期間に事前設定されてもよい。その後、試験文は画面からクリアされる。
【００１３】
非テキスト情報、特に一つまたは複数の画像は好ましくは前記人に対して画面上で表示される。有利には、前記非テキスト情報の表示は、前記試験文が以前に表示されたのと同じ画面上で可能である。前記非テキスト情報は、前記人が前記試験文を調音する間、表示される。
【００１４】
前記非テキスト情報は、好ましくは、第二のデータベースから得られる。前記第二のデータベースでは、各非テキスト情報について、その非テキスト情報が関係している少なくとも一つのキーワードが記憶されている。前記第二のデータベースは、有利には、前記試験文のキーワードの検索を許容し、関係する非テキスト情報を出力するよう適応されている。試験文中のキーワードは好ましくは認識される。これは有利にはたとえばコンピュータ・システムによって自動的に実行されうる。
【００１５】
キーワードの認識は好ましくは、試験文の任意の単語を前記第二のデータベース中のキーワードと比較することによって実行される。当業者は、キーワードの認識が任意の文について実行されうることを理解するものである。しかしながら、試験文が前記第一のデータベースから選ばれる場合、前記第一、第二のデータベースは有利には、前記第一のデータベース中の文のキーワードと前記第二のデータベース中の適切な非テキスト情報との間の相互参照を有していてもよい。
【００１６】
本発明に基づく前記方法のあるさらなる好ましい実施形態では、前記試験文を表示する段階と前記非テキスト情報を与える段階との間の時間期間は、たとえばオペレーターによって、あるいは試験対象の人によって、あるいは好ましくは自動的に、適応可能である。当業者は、前記方法ステップの時間のオーダーは適応されてもよいことを理解するものである。すなわち、試験文を表示する時間期間の継続時間、画面をクリアしてから非テキスト情報を与えるまでの時間期間および／または非テキスト情報を与える時間期間である。
【００１７】
前記非テキスト情報のパラメータを適応させることも好ましい。それは、前記非テキスト情報を形成する画像または記号の少なくとも色、数および大きさの一つまたは複数であってもよい。たとえば、一つのキーワードだけまたは最も重要ないくつかのキーワードが認識され、非テキスト情報で表示されてもよい。特に、その人が正確な試験文を以前に簡単に覚えた場合はそうである。よって、試験文を表示する段階と非テキスト情報を与える段階との間の時間期間を適応させる、および／または調音された試験文の誤り率に依存して、すなわち試験対象者の答の品質に依存して、非テキスト情報のパラメータを適応させることが特に好ましい。この実施形態は、有利には、療法の進行に関する本方法の適応を許容する。さらに、本発明の方法は有利に、人の短期記憶を訓練するために使用されてもよい。
【００１８】
試験文は前記人によって繰り返され、本発明によれば、繰り返された試験文が記録および／または解析される。好ましくは、試験文を記録および／または解析する段階は、自動化された発話解析を含む。自動化された発話解析は有利には、構語障害のある発話生成のベンチマーク試験を、その人の発話の療法士にとっての主観的な理解可能性にかかわりなく、許容する。自動化された発話解析は、マイクロプロセッサ・ベースのシステム、典型的には音声処理ハードウェアおよび発話認識ソフトウェアを具備するコンピュータが発話入力に対して予測可能な仕方で反応するプロセスを含む。
【００１９】
本発明のもう一つの目的は、人の乱されない発話生成のためのシステムであって、文の第一のデータベースおよび非テキスト情報の第二のデータベースを有しており、前記非テキスト情報はキーワードに関係しており、前記システムはさらに表示装置を有し、前記表示装置はまず前記第一のデータベースの文から選ばれた試験文を表示し、その後、前記第二のデータベースからの前記試験文のキーワードに関係した非テキスト情報を表示するよう適応されている、システムである。
【００２０】
乱されない発話生成のための本発明のシステムは、人が発話を生成する、すなわち文字によって正しい発音に向けて影響されてしまうという試験の場面では望ましくないことなしに試験文を調音することを許容する。しかしながら、人が記憶された文を繰り返す場合、その人は書かれた単語に頼ることができないので、発話品質はより真性になる。
【００２１】
文の前記第一のデータベースおよび非テキスト情報の前記第二のデータベースは好ましくは記憶装置上に記憶される。本発明のシステムは好ましくはマイクロコントローラを有する。前記マイクロコントローラは前記表示装置上での、前記試験文の表示および前記非テキスト情報のその後の表示を制御する。有利には、前記マイクロコントローラは前記表示装置を制御して、前記第一のデータベースからの試験文を、前記人が見るために、表示する。まだ何の解析も実行されない。次いで前記試験文が前記表示装置から消去される。前記マイクロコントローラは好ましくは、前記試験文中のキーワードを認識し、前記キーワードに関係した非テキスト情報を前記表示装置上への表示のために選ぶよう適応される。こうして前記システム・マイクロコントローラは、適正な非テキスト情報、たとえば前記文のキーワードを示す画像のシーケンスを決定する。前記非テキスト情報は前記人に対して示され、次いでその人は記憶から前記文を思い出し、声に出して言うよう求められる。本システムは、ユーザーの発音に影響することなく、ユーザーに厳密な文を思い出させる視覚的な手がかりを提供する。
【００２２】
本発明のもう一つの目的は、これまでに述べた人の乱されない発話生成のためのシステムを有する発話解析システムである。前記発話解析システムはさらに、前記人によって試験文が調音されるにつれて前記試験文を記録および／または解析するための手段を有する。前記発話の解析は、前記人が前記試験文を読むために生成される発話が乱されたり影響されたりすることがないので、向上される。好ましくは、前記試験文を解析する前記手段は、自動化された発話解析装置、特にマイクロプロセッサ・ベースのシステム、典型的には音声処理ハードウェアおよび発話認識ソフトウェアを具備するコンピュータを有する。自動化された発話解析は有利に、構語障害のある発話生成のベンチマーク試験を、その人の発話の療法士にとっての主観的な理解可能性にかかわりなく、許容する。
【００２３】
本発明のこれらおよびその他の特性、特徴および利点は、付属の図面と一緒に参照される以下の詳細な記述から明白となるであろう。図面は、例として、本願の原理を示すものである。以下の詳細な記述はあくまでも例のために与えられるものであり、本発明の範囲を限定することはない。以下の参照符号は付属の図面を参照するものである。
【図面の簡単な説明】
【００２４】
【図１】本発明に基づく、人の乱されない発話生成のためのシステムを有する発話解析システムを概略的に示す図である。
【図２】本発明に基づく方法を流れ図で示す図である。
【図３】本発明に基づく、人の乱されない発話生成のための前記システムによって生成される非テキスト情報を示す図である。
【発明を実施するための形態】
【００２５】
本発明について、個別的な実施形態に関して、ある種の図面を参照しつつ記述するが、本発明はそれに限定されるものではなく、請求項によってのみ限定される。記載される図面は単に概略的であり、限定するものではない。図面において、要素のいくつかの大きさは誇張されており、例示の目的のために縮尺通りに描かれていないことがある。
【００２６】
単数名詞に言及するときに不定冠詞または定冠詞、たとえば「a」「an」「the」が使用されるとき、これは、そうでないことが特に述べられているのでない限り、その名詞の複数を含む。
【００２７】
さらに、本記述および請求項における第一、第二、第三などの用語は、同様の要素の間の区別をするために使われているのであって、必ずしも逐次順または時間順を記述するために使われているのではない。そのように使用される用語は適切な状況の下では交換可能であり、本稿に記載される本発明の実施形態は本稿で記載または例示されている以外の他の序列での動作も可能であることは理解されるものとする。
【００２８】
さらに、本記述および請求項における上、下、上方、下方などの用語は説明の目的のために使われており、必ずしも相対的な位置を記述するために使われているのではない。そのように使用される用語は適切な状況の下では交換可能であり、本稿に記載される本発明の実施形態は本稿で記載または例示されている以外の他の配向での動作も可能であることは理解されるものとする。
【００２９】
本記述および請求項において使用される「有する」の用語は、挙げられている手段に制約されると解釈すべきではなく、他の要素やステップを排除するものではないことを注意しておく。よって、「手段AおよびBを有する装置」という表現の範囲は、構成要素AおよびBのみからなる装置に限定されるべきではない。それは、本発明に関し、その装置の重要な構成要素がAおよびBのみであることを意味する。
【００３０】
図１で、本発明に基づく、人Pの乱されない発話生成のためのシステムを有する発話解析システムが概略的に示されている。描かれている実施形態は、二つのデータベースにアクセスするマイクロコントローラ９を有する。二つのデータベースは、文１１、１２、１３の第一のデータベース１０と、非テキスト情報２１、２２、２３の諸部分および関係するキーワード３１、３２、３３が記憶されている第二のデータベース２０である。両方のデータベースは好ましくは記憶装置８、特にハードディスク・ドライブまたは大量のデータのための他の任意の好適な記憶媒体に記憶されている。非テキスト情報２１、２２、２３の前記諸部分は、好ましくは、画像および／または記号であるが、アルファベット文字ではない。キーワード３１、３２、３３の前記非テキスト情報の諸部分２１、２２、２３への相関は、前記テキスト情報または画像または記号がそれぞれのキーワードの意味を何らかの仕方で描いているまたは図示しているというものである。これは、点線によって示されている。一例として、キーワード３１は「雪だるま」であってもよく、画像２１は雪だるまを描いた絵である。図３も参照。当業者は、前記第一および第二のデータベース１０、２０が、文１１、１２、１３とそのそれぞれのキーワードとの間の相関が確立されるような仕方でリンクされてもよいことを理解するものである。
【００３１】
マイクロコントローラ９のデータベース１０、２０へのアクセスは矢印９１によって示されている。このマイクロコントローラは、任意の商業的に入手可能なコンピュータ・モニタまたはテレビ画面であってもよい表示装置７をも制御する。表示装置７上では、前記第一のデータベース１０からの文１１、１２、１３が書かれたテキストで表示可能である。マイクロコントローラ９またはオペレーター（図示せず）は、試験文１である文を、表示装置７上に表示されるべく選び、よって表示装置７を見ている人Pは試験文を読むことができる。このことは、矢印１によって示されている。試験文１が表示装置７から消去されたのち、非テキスト情報２が同じ表示装置７上で人Pに対して表示される。これは矢印２によって描かれている。表示装置７を消去してから非テキスト情報２を表示するまでの時間期間は好ましくは、その人Pの以前の答の品質に適合される、すなわち、誤り率に依存して適応される。試験文１に現れるキーワード１１、１２、１３が前記第二のデータベース２０から認識され、非テキスト情報２が、認識されたキーワードに関係している第二のデータベース２０からの画像および／または記号２１、２２、２３の一つまたは複数から合成される。
【００３２】
非テキスト情報２は人Pにとって試験文１のリマインダーとしてのはたらきをする。人Pはこうして試験文１を繰り返し、試験文１を読むことなく調音することができる。このことは、矢印４によって示されている。非テキスト情報２は、人Pの発音に影響することなく、人Pに正確な試験文１を思い出させる視覚的な手がかりを与える。
【００３３】
発話された試験文４は次いで、たとえば、単に聴いている療法士によって評価されてもよい。さらに、人Pの乱されない発話生成のためのシステムは、人Pによって試験文が調音される４際に試験文１を記録および／または解析する手段５０とともに、発話解析システムを形成する。ある好ましい実施形態では、試験文を記録および／または解析するための手段５０は自動発話解析装置、特にマイクロプロセッサ・ベースのシステム、典型的には音声処理ハードウェアおよび発話認識ソフトウェアを具備するコンピュータを有する。自動化された発話解析は有利に、構語障害のある発話生成のベンチマーク試験を、その人の発話の療法士にとっての主観的な理解可能性にかかわりなく、許容する。描かれている実施形態では、手段５０はスタンドアローンの解析装置ではなく、マイクロコントローラ９を使っている。このことは、点線５１によって示されている。
【００３４】
図２では、図１のシステムによる人Pの発話生成の解析方法の単純化した作業フローが示されている。以下の参照符号は図１および図２の両方を指す。ステップ１００は、データベース１０から試験文１を選ぶものである。ステップ１０１では、試験文１が表示装置または画面７上に表示される。ステップ１０２では、画面がクリアされる。ステップ１０３および１０４はステップ１０１および１０２と同時に実行されてもよい。ステップ１０３は、試験文１中のキーワード３１、３２、３３の認識を含み、ステップ１０４では第二のデータベース２０中でキーワード３１、３２、３３を指す非テキスト情報部分２１、２２、２３から非テキスト情報２が合成される。適応可能な時間期間の経過後、ステップ１０５において、非テキスト情報２が画面７に表示され、次いでステップ１０６で、人Pが試験文１を繰り返すよう求められる。人Pの答の品質に依存して、ステップ１０２とステップ１０５の間の時間期間は適応される。人Pの発話生成は、書かれたテキストの影響によって乱されず、非テキスト情報２が人に正確な試験文１を思い出させる。
【００３５】
図３では、非テキスト情報２の例が与えられている。非テキスト情報２が人に思い出させる試験文１はたとえば「日光を浴びて雪だるまが溶ける」などである。この文のキーワードはたとえば、雪だるま３１、溶ける３２および日光３３であり、これらは相関付けられた画像２１、２２、２３によって表される。人は非テキスト情報２だけから、すなわち事前に試験文１を読んでいなければ、試験文１を認識しはしないであろうが、正確な試験文１を人に思い出させるには非テキスト情報２は十分である。しかしながら、人の答の誤り率に依存して、非テキスト情報のパラメータが好ましくは適応される。画像の色または大きさが変更されてもよいし、あるいは画像の数が減らされてもよい。たとえば、雪だるま２１だけが表示される。
【図１】
2010509648.tif 000003
【図２】
2010509648.tif 000004
【図３】
2010509648.tif 000005
【手続補正書】
【提出日】平成21年5月18日(2009.5.18)
【手続補正１】
【補正対象書類名】特許請求の範囲
【補正対象項目名】全文
【補正方法】変更
【補正の内容】
【特許請求の範囲】
【請求項１】
人の発話生成を解析する方法であって：
・文の第一のデータベースから試験文を選び；
・前記人に対して前記試験文を表示し；
・非テキスト情報の各部分に関係している少なくとも一つのキーワードを含んでいる第二のデータベースから、前記試験文の少なくとも一つのキーワードの関係した非テキスト情報を取得し；
・その後、前記人に、前記非テキスト情報を与え；
・前記試験文が前記人によって調音される際に前記試験文を記録および／または解析する段階を有する方法。
【請求項２】
前記試験文が前記人に対して、画面上で書かれたテキストとして表示される、請求項１記載の方法。
【請求項３】
前記非テキスト情報が前記人に対して画面上で表示される画像を含む、請求項１記載の方法。
【請求項４】
前記試験文中のキーワードが認識される、請求項１記載の方法。
【請求項５】
キーワードの識別が、前記試験文の単語を第二のデータベース中のキーワードと比較することによって実行される、請求項４記載の方法。
【請求項６】
前記試験文を表示する段階と前記非テキスト情報を与える段階との間の時間期間が適応可能である、請求項１記載の方法。
【請求項７】
前記非テキスト情報のパラメータが適応可能であり、該パラメータは前記非テキスト情報の画像の少なくとも色、数および大きさの一つまたは複数である、請求項１記載の方法。
【請求項８】
前記時間期間および／または前記パラメータが、調音された試験文の誤り率に依存して適応される、請求項６または７記載の方法。
【請求項９】
前記試験文を記録および／または解析する前記段階が、自動化された発話解析を含む、請求項１記載の方法。
【請求項１０】
人の乱されない発話生成のためのシステムであって、文の第一のデータベースおよび非テキスト情報の第二のデータベースを有しており、非テキスト情報の各部分は少なくとも一つのキーワードに関係しており、前記システムはさらに表示装置を有し、前記表示装置はまず前記第一のデータベースの文から選ばれた試験文を表示し、その後、前記第二のデータベースからの前記試験文のキーワードに関係した非テキスト情報を表示するよう適応されている、システム。
【請求項１１】
文の前記第一のデータベースおよび非テキスト情報の前記第二のデータベースが記憶装置上に記憶される、請求項１０記載のシステム。
【請求項１２】
さらにマイクロコントローラを有する請求項１０記載のシステムであって、前記マイクロコントローラは前記表示装置上での、前記試験文の表示および前記非テキスト情報のその後の表示を制御する、システム。
【請求項１３】
前記マイクロコントローラは前記試験文中のキーワードを認識し、前記キーワードに関係した非テキスト情報を前記表示装置上への表示のために前記第二のデータベースから選ぶよう適応される、請求項１０記載のシステム。
【請求項１４】
請求項１０に記載される人の乱されない発話生成のためのシステムを有する発話解析システムであって、さらに、前記人によって試験文が調音される際に前記試験文を記録および／または解析するための手段を有する、発話解析システム。
【請求項１５】
前記試験文を解析する前記手段が自動化された発話解析装置を有する、請求項１４記載の発話解析システム。
【国際調査報告】
2010509648.tif 000006
2010509648.tif 000007